(57)【要約】【課題】非接触ＩＣタグ付きヘルメットと、非接触ＩＣタグ付きヘルメットを利用することにより、容易に入退場ができる入退場管理装置を実現する。【解決手段】アンテナ部２ａと、アンテナ部に接続されたＩＣチップ２ｂを有する非接触ＩＣタグ２を備える非接触ＩＣタグ付きヘルメット１０の着用者が入退場する入退場管理装置１００において、その着用者が通過するゲート部２０に、そのヘルメットの非接触ＩＣタグを検知するリーダ部３０を備えるとともに、リーダ部３０が検知した非接触ＩＣタグのＩＣチップが有する管理データに基づき、制御部６０が、非接触ＩＣタグ付きヘルメットの着用者がゲート部を通過することができるか否かを判断し、警報部５０ａ、５０ｂによってその判断結果である着用者の通過の可否を通知するようにした。【選択図】図３
2006004065.tif 000002
【特許請求の範囲】
【請求項１】
アンテナ部と、前記アンテナ部を介して所定の管理データを送受するＩＣチップと、を有する非接触ＩＣタグを、ヘルメット本体に備えたことを特徴とする非接触ＩＣタグ付きヘルメット。
【請求項２】
ヘルメット本体の周面に沿って配設されるアンテナ部と、前記アンテナ部を介して所定の管理データを送受するＩＣチップとからなる非接触ＩＣタグを備えたことを特徴とする非接触ＩＣタグ付きヘルメット。
【請求項３】
請求項１又は２に記載の非接触ＩＣタグ付きヘルメットの着用者の入退場を管理する入退場管理装置であって、
前記非接触ＩＣタグ付きヘルメットの着用者が通過するゲート部と、
前記ゲート部に備えられ、前記非接触ＩＣタグ付きヘルメットの非接触ＩＣタグを検知する検知手段と、
前記検知手段が検知した前記非接触ＩＣタグのＩＣチップが有する管理データに基づき、前記非接触ＩＣタグ付きヘルメットの着用者が前記ゲート部を通過することができるか否かを判断する判断手段と、
前記判断手段が判断した、前記非接触ＩＣタグ付きヘルメットの着用者の通過の可否を通知する通知手段と、
を備えることを特徴とする入退場管理装置。
【請求項４】
前記ゲート部に、前記非接触ＩＣタグ付きヘルメットの着用者の入退場方向に離間して配設され、当該ゲート部を通過する前記着用者をそれぞれ検出する第１の検出センサと、第２の検出センサと、
前記第１の検出センサと前記第２の検出センサが、前記ゲート部を通過する前記非接触ＩＣタグ付きヘルメットの着用者を検出した順に基づき、前記着用者が入場したか、退場したかを判別する入退場判別手段と、
前記入退場判別手段が判別した前記着用者の入退場と、前記検知手段が検知した前記非接触ＩＣタグのＩＣチップが有する管理データに基づき、前記非接触ＩＣタグ付きヘルメットの着用者が、前記ゲート部から入場しているか、退場しているかを記録する記録手段と、
を備えることを特徴とする請求項３に記載の入退場管理装置。
【発明の詳細な説明】
【技術分野】
【０００１】
本発明は、非接触ＩＣタグ付きヘルメット及びそれを利用する入退場管理装置に関する。
【背景技術】
【０００２】
近年、非接触ＩＣタグや非接触ＩＣカードを利用したシステムが多くの分野で注目されており、例えば、非接触ＩＣタグや非接触ＩＣカードを利用した、展示会などの入場者管理システムや、鉄道の自動改札システムなどが知られている（例えば、特許文献１参照。）。
前述の鉄道の自動改札システムでは、通行者がＩＣカードを改札ゲートのカードリーダ部にかざすことにより、改札ゲートの通過の可否が判断され、そのＩＣカードが入退場を許可されるデータを有する場合のみに改札ゲートの一時的な開放が行われるようになっている。
【特許文献１】特開２００２−１４０７４４号公報
【発明の開示】
【発明が解決しようとする課題】
【０００３】
しかしながら、上記特許文献１の場合、通行者は改札ゲートのカードリーダ部に向けてＩＣカードをかざすために、ＩＣカードをポケットやバックなどから取り出さなければならず、その動作が面倒であるという問題があった。
【０００４】
また、このような非接触ＩＣカードシステムを、入退場者を管理する建設現場に適用した場合、建設現場のゲートを通過する作業者は、その作業着が重装備であったり、特に手袋をしていたりすると、ＩＣカードの取り出しが困難となることがあり、そのゲートを入退場する際に手間がかかるという問題があった。
【０００５】
本発明の目的は、非接触ＩＣタグ付きヘルメットを提供するとともに、非接触ＩＣタグ付きヘルメットを利用することにより、容易に入退場ができる入退場管理装置を提供することである。
【課題を解決するための手段】
【０００６】
以上の課題を解決するため、請求項１記載の発明は、例えば、図１、図２に示すように、非接触ＩＣタグ付きヘルメット（１０）であって、アンテナ部（２ａ）と、前記アンテナ部を介して所定の管理データを送受するＩＣチップ（２ｂ）と、を有する非接触ＩＣタグ（２）を、ヘルメット本体（１）に備えたことを特徴とする。
【０００７】
請求項２記載の発明は、例えば、図７に示すように、非接触ＩＣタグ付きヘルメット（１１）であって、ヘルメット本体（１）の周面に沿って配設されるアンテナ部（１２ａ）と、前記アンテナ部を介して所定の管理データを送受するＩＣチップ（１２ｂ）とからなる非接触ＩＣタグ（１２）を備えたことを特徴とする。
【０００８】
請求項３記載の発明は、例えば、図３から図５に示すように、請求項１又は２に記載の非接触ＩＣタグ付きヘルメット（１０、１１）の着用者の入退場を管理する入退場管理装置（１００）であって、
前記非接触ＩＣタグ付きヘルメットの着用者が通過するゲート部（２０）と、
前記ゲート部に備えられ、前記非接触ＩＣタグ付きヘルメットの非接触ＩＣタグを検知する検知手段（例えば、リーダ部３０）と、
前記検知手段が検知した前記非接触ＩＣタグのＩＣチップが有する管理データに基づき、前記非接触ＩＣタグ付きヘルメットの着用者が前記ゲート部を通過することができるか否かを判断する判断手段（例えば、制御部６０）と、
前記判断手段が判断した、前記非接触ＩＣタグ付きヘルメットの着用者の通過の可否を通知する通知手段（例えば、警報部５０ａ、５０ｂ）と、
を備えることを特徴とする。
【０００９】
請求項４記載の発明は、請求項３に記載の入退場管理装置において、例えば、図３、図５に示すように、
前記ゲート部に、前記非接触ＩＣタグ付きヘルメットの着用者の入退場方向に離間して配設され、当該ゲート部を通過する前記着用者をそれぞれ検出する第１の検出センサ（４０ａ）と、第２の検出センサ（４０ｂ）と、
前記第１の検出センサと前記第２の検出センサが、前記ゲート部を通過する前記非接触ＩＣタグ付きヘルメットの着用者を検出した順に基づき、前記着用者が入場したか、退場したかを判別する入退場判別手段（例えば、制御部６０）と、
前記入退場判別手段が判別した前記着用者の入退場と、前記検知手段が検知した前記非接触ＩＣタグのＩＣチップが有する管理データに基づき、前記非接触ＩＣタグ付きヘルメットの着用者が、前記ゲート部から入場しているか、退場しているかを記録する記録手段（例えば、制御部６０のＲＡＭ）と、
を備えることを特徴とする。
【発明の効果】
【００１０】
請求項１記載の発明によれば、非接触ＩＣタグ付きヘルメットは、アンテナ部と、アンテナ部を介して所定の管理データを送受するＩＣチップと、を有する非接触ＩＣタグを、ヘルメット本体に備えたものであるので、非接触ＩＣタグ付きヘルメットを着用して通行する頭上側に非接触ＩＣタグを検知することができる検知手段を備えれば、ポケットなどに保管する非接触ＩＣタグを取り出して、その非接触ＩＣタグを検知手段にかざしたりする手間を省くことができる。
つまり、例えば、工事現場などの特定箇所へ、作業者が入退場する際に、検知手段が非接触ＩＣタグを検知したか否かにより、その作業者の入退場の許可、不許可が判断されるような場合に、非接触ＩＣタグ付きヘルメットを着用して通行することで非接触ＩＣタグを検知することができれば、作業者がポケットなどに保管する非接触ＩＣタグを取り出して、検知手段にかざすなどする手間を省くことができるので、容易に特定箇所への入退場を行うことができる。
よって、非接触ＩＣタグ付きヘルメットは、特定箇所への入退場を容易に行うことに対し、有効に活用することができる。
【００１１】
請求項２記載の発明によれば、非接触ＩＣタグ付きヘルメットは、ヘルメット本体の周面に沿って配設されるアンテナ部と、アンテナ部を介して所定の管理データを送受するＩＣチップとからなる非接触ＩＣタグを備えたものであるので、非接触ＩＣタグ付きヘルメットを着用して通行する頭上側に非接触ＩＣタグを検知することができる検知手段を備えれば、ポケットなどに保管する非接触ＩＣタグを取り出して、その非接触ＩＣタグを検知手段にかざしたりする手間を省くことができる。
つまり、例えば、工事現場などの特定箇所へ、作業者が入退場する際に、検知手段が非接触ＩＣタグを検知したか否かにより、その作業者の入退場の許可、不許可が判断されるような場合に、非接触ＩＣタグ付きヘルメットを着用して通行することで非接触ＩＣタグを検知することができれば、作業者がポケットなどに保管する非接触ＩＣタグを取り出して、検知手段にかざすなどする手間を省くことができるので、容易に特定箇所への入退場を行うことができる。
よって、非接触ＩＣタグ付きヘルメットは、特定箇所への入退場を容易に行うことに対し、有効に活用することができる。
特に、非接触ＩＣタグのアンテナ部をヘルメット本体の周面に沿って配設することによって、アンテナ部を大きくすることができ、アンテナ部を検知する感度を向上させることができるので、非接触ＩＣタグを備える非接触ＩＣタグ付きヘルメットを検知可能な範囲を広くすることができる。
【００１２】
請求項３記載の発明によれば、入退場管理装置は、非接触ＩＣタグ付きヘルメットの着用者が通過するゲート部に、非接触ＩＣタグ付きヘルメットの非接触ＩＣタグを検知する検知手段を備えている。そして、検知手段が検知した非接触ＩＣタグのＩＣチップが有する管理データに基づき、判断手段が、非接触ＩＣタグ付きヘルメットの着用者がゲート部を通過することができるか否かを判断するとともに、通知手段によってその判断結果である着用者の通過の可否を通知することができる。
つまり、非接触ＩＣタグを備えた非接触ＩＣタグ付きヘルメットを着用する着用者が、入退場管理装置のゲート部を通過することにより、ゲート部に備えられた検知手段が、非接触ＩＣタグ付きヘルメットの非接触ＩＣタグを検知するとともに、入退場管理装置は、非接触ＩＣタグ付きヘルメットの着用者がゲート部を通過することができるか否かを判断し、通過の可否を通知することができる。
よって、非接触ＩＣタグをポケットなどに保管するとともに、入退場管理装置を通行する度に、非接触ＩＣタグを取り出して、その非接触ＩＣタグを検知手段にかざしたりすることに比べ、非接触ＩＣタグ付きヘルメットの着用者は、容易に入退場管理装置を通行することができる。
【００１３】
請求項４記載の発明によれば、入退場管理装置のゲート部に、着用者の入退場方向に離間して配設される第１の検出センサと第２の検出センサが、ゲート部を通過する非接触ＩＣタグ付きヘルメットの着用者を検出した順に基づき、入退場判別手段は、その着用者が入場したか、退場したかを判別するとともに、入退場判別手段が判別した着用者の入退場と、検知手段が検知した非接触ＩＣタグのＩＣチップが有する管理データに基づいて、非接触ＩＣタグ付きヘルメットの着用者が、ゲート部から入場しているか、退場しているかを記録手段に記録することができる。
つまり、入退場管理装置は、第１の検出センサと第２の検出センサが着用者を検出した順に基づいて、着用者の進行方向を区別して着用者の入退場を判別するとともに、その着用者が着用している非接触ＩＣタグ付きヘルメットの非接触ＩＣタグのＩＣチップが有する管理データに基づいて、着用者を特定することで、その着用者が入退場管理装置のゲート部を介して入退場しているか否かを記録することができる。
よって、非接触ＩＣタグ付きヘルメットの着用者の入退場状況の記録管理を容易に行うことができる。
【発明を実施するための最良の形態】
【００１４】
以下、本発明の実施の形態を詳細に説明する。
本発明に係る入退場管理装置１００は、例えば、シールド工事やトンネル工事などの特定現場における作業者の入退場の可否判断を行ったり、作業者の入退場状況を記録したりし、特定現場に対する作業者の入退場を管理する装置である。
【００１５】
まず、特定現場に入退場する作業者が着用するヘルメットについて説明する。
図１に示すように、本発明に係るヘルメットは、ヘルメット本体１に、非接触ＩＣタグ２が配設されてなる非接触ＩＣタグ付きヘルメット１０である。
【００１６】
ヘルメット本体１は、例えば、絶縁材から成り、ヘルメットを着用する作業者の頭部に対する衝撃を緩和し、ヘルメット着用者の頭部を保護するものである。
【００１７】
非接触ＩＣタグ２は、図２に示すように、アンテナ部２ａと、アンテナ部２ａに接続されるＩＣチップ２ｂと、アンテナ部２ａとＩＣチップ２ｂを覆うシート材２ｃとにより構成されている。
アンテナ部２ａは、アンテナ線が平面状に捲回されてなり、そのアンテナ線の両端部がＩＣチップ２ｂに接続されている。
ＩＣチップ２ｂは、集積回路であり、非接触ＩＣタグ２に割り当てられた管理データであるＩＤ番号を記憶している。また、ＩＣチップ２ｂは、アンテナ部２ａを介して所定の管理データを送受することができる。
シート材２ｃは、例えば、プラスチックシートであり、アンテナ部２ａやＩＣチップ２ｂが損傷しないように保護するとともに、非接触ＩＣタグ２を薄い平板形状に形成するためのものである。
【００１８】
この非接触ＩＣタグ２は、後述する入退場管理装置１００のリーダ部３０に所定の距離近づいたり、リーダ部３０の検知エリアに入ったりすると、リーダ部３０が有するアンテナ（図示省略）と、非接触ＩＣタグ２のアンテナ部２ａとの間で磁気的な結合が生じ、アンテナ部２ｂに高周波信号が誘起される。非接触ＩＣタグ２は、この高周波信号に基づく電力（誘導起電力）によりＩＣチップ２ｃが動作するようになっている。そして、非接触ＩＣタグ２は、ＩＣチップ２ｂに記憶するＩＤ番号に関する信号などを、アンテナ部２ａを介して、リーダ部３０に送信するようになっている。
【００１９】
そのため、非接触ＩＣタグ２は、後述する入退場管理装置１００のリーダ部３０が検知しやすい箇所に備えられることが好ましい。
非接触ＩＣタグ２は、ヘルメット本体１の外側表面、ヘルメット本体１の内面のいずれに備えられていてもよく、また、着脱自在であっても、貼付されるなどして固定されていてもよい。また、非接触ＩＣタグ２は、ヘルメット本体１を構成する絶縁材中に埋設されていてもよい。
【００２０】
このような非接触ＩＣタグ付きヘルメット１０は、特定現場に入退場する作業者が着用しなければならないものであり、非接触ＩＣタグ付きヘルメット１０を着用する作業者の頭部を保護するとともに、特定現場に入退場する際の通行許可証としての機能を有するものである。
特定現場に入退場する際の通行許可証としての機能とは、後述する入退場管理装置１００において、非接触ＩＣタグ付きヘルメット１０の非接触ＩＣタグ２を検知するとともに、非接触ＩＣタグ２のＩＣチップ２ｂに記憶されるＩＤ番号に基づき、非接触ＩＣタグ付きヘルメット１０を着用する作業者が、特定現場に入場したり、特定現場から退場したりすることに対するの許可、不許可が判断され、作業者に通知されるので、所定のＩＤ番号が割り当てられた非接触ＩＣタグ付きヘルメット１０を通行許可証として着用しなければ、特定現場への出入りができないということである。
【００２１】
次に、入退場管理装置１００について、図３に基づき説明する。
図３に示すように、入退場管理装置１００は、作業者が通過するゲート部２０と、ゲート部２０に備えられ、非接触ＩＣタグ２を検知する検知手段としてのリーダ部３０と、ゲート部２０に備えられ、ゲート部２０を通過する作業者を検出する第１の検出センサ４０ａと第２の検出センサ４０ｂと、作業者がゲート部２０を通過することの可否を通知する通知手段としての警報部５０ａ、５０ｂと、上記各部の動作を制御する制御部６０等を備えている。
【００２２】
ゲート部２０は、作業者が通常歩行姿勢で通過できる幅に離間して配置される側壁部２１，２１と、側壁部２１に掛け渡される天井部２２とにより構成されている。そして、ゲート部２０は、図４に示すように、作業者が通常歩行姿勢で通過できる高さ（例えば、１９０ｃｍ）と幅（例えば、９０ｃｍ）を有する通路を形成する。
天井部２２には、リーダ部３０が配設されており、側壁部２１には、第１の検出センサ４０ａと第２の検出センサ４０ｂが備えられている。
【００２３】
リーダ部３０は、図示しないアンテナと、そのアンテナから高周波信号を出力させる駆動回路（図示省略）を有している。
リーダ部３０は、所定の駆動回路により、例えば、周波数１３．５６（ＭＨｚ）の高周波信号をそのアンテナから出力し、非接触ＩＣタグ２のアンテナ部２ａに高周波信号を誘起させることで、非接触ＩＣタグ２に動作用電力を供給する。
また、リーダ部３０は、非接触ＩＣタグ２のアンテナ部２ａを介して送信された信号を検知することに基づき、非接触ＩＣタグ２を検知する。また、リーダ部３０は、非接触ＩＣタグ２のアンテナ部２ａを介して送信された信号におけるＩＤ番号に関する信号に基づき、リーダ部３０のアンテナに誘起される高周波信号を信号処理し、非接触ＩＣタグ２から送信されたＩＤ番号の情報を取得する。そして、リーダ部３０は、取得したＩＤ番号を、制御部６０に出力する。
【００２４】
このリーダ部３０が、非接触ＩＣタグ２に動作用電力を供給したり、非接触ＩＣタグ２がアンテナ部２ａを介して送信する信号を検知したりすることができる範囲である検知エリア３０ａは、図４において細掛けで示す部分のように、ゲート部２０内における上方側の空間である。この検知エリア３０ａは、例えば、左右の側壁部２１，２１が対向する間であるとともに、天井部２２から下方に９０ｃｍの範囲である。
このような検知エリア３０ａであれば、作業者が非接触ＩＣタグ付きヘルメット１０を着用し、通常歩行姿勢でゲート部２０を通過する際に、非接触ＩＣタグ付きヘルメット１０の非接触ＩＣタグ２が検知エリア３０ａを通過するので、リーダ部３０は、非接触ＩＣタグ付きヘルメット１０の非接触ＩＣタグ２を検知することができる。
特に、作業者が非接触ＩＣタグ付きヘルメット１０を着用し、通常歩行姿勢、通常歩行速度でゲート部２０を通過する際に、より確実にリーダ部３０が非接触ＩＣタグ２を検知することができる検知エリア３０ａを設けるように、リーダ部３０をゲート部２０の天井部２２に配設することが好ましい。
【００２５】
第１の検出センサ４０ａ及び第２の検出センサ４０ｂは、例えば、赤外線センサで構成されており、作業者がゲート部２０を通過する方向である入退場方向に離間して、ゲート部２０に備えられている。
図５に示すように、第２の検出センサ４０ｂは、ゲート部２０における特定現場側（内側）に配設されており、第１の検出センサ４０ａは、第２の検出センサ４０ｂより入退場方向に特定現場から離れた位置（外側）に配設されている。
第１の検出センサ４０ａ及び第２の検出センサ４０ｂは、ゲート部２０を通過する作業者を検出するとともに、作業者を検出したことに基づく検出信号を、制御部６０に出力する。
【００２６】
警報部５０ａは、ゲート部２０を特定現場に向かって入場する作業者に対して、後述する制御部６０の判断に基づき、ゲート部２０の通過の可否を通知するものである。
警報部５０ｂは、ゲート部２０を特定現場から退場する作業者に対して、後述する制御部６０の判断に基づき、ゲート部２０の通過の可否を通知するものである。
後述する制御部６０が、作業者がゲート部２０を通過することを許可した場合、警報部５０ａ，５０ｂのライト部５５ａ，５５ｂは緑色に点灯し、通過の許可を通知するようになっている。また、後述する制御部６０が、作業者がゲート部２０を通過することを許可しない場合、警報部５０ａ，５０ｂのライト部５５ａ，５５ｂは赤色に点灯するとともに、警報部５０ａ，５０ｂが警報音や警告アナウンスを発することで、通過の不許可を通知するようになっている。
【００２７】
制御部６０は、例えば、ＣＰＵ、ＲＯＭ、ＲＡＭを備えている。
制御部６０のＣＰＵは、制御部６０のＲＯＭに格納された入退場管理装置用の制御プログラムに従って、各種の制御動作を実行する。
制御部６０のＲＯＭには、入退場管理装置１００を制御するための制御プログラムや制御データが書き込まれ、格納されている。この制御データとして、例えば、ゲート部２０の通過が許可されるＩＤ番号データが格納されている。
制御部６０のＲＡＭには、種々のワークメモリやカウンタなどが設けられており、制御部６０のＣＰＵが上記制御プログラムを実行する際のワークエリアとして使用される。
【００２８】
また、制御部６０のＲＡＭは、記録手段として、リーダ部３０が検知した、作業者が着用している非接触ＩＣタグ付きヘルメット１０の非接触ＩＣタグ２に関するＩＤ番号を記録し、その非接触ＩＣタグ付きヘルメット１０を着用する作業者が、ゲート部２０から入場しているか、退場しているかを記録する。
特に、記録手段としての制御部６０のＲＡＭは、リーダ部３０が非接触ＩＣタグ２を検知した時刻（日時）データとともに、ＩＤ番号を記録する。
【００２９】
そして、制御部６０は、判断手段として、リーダ部３０が検知した、作業者が着用している非接触ＩＣタグ付きヘルメット１０の非接触ＩＣタグ２のＩＣチップ２ｂが有するＩＤ番号に基づき、その非接触ＩＣタグ付きヘルメット１０を着用している作業者が、ゲート部２０を通過することができるか否かを判断する制御を行う。
判断手段としての制御部６０が、リーダ部３０が検知した作業者が着用している非接触ＩＣタグ付きヘルメット１０の非接触ＩＣタグ２に関するＩＤ番号が、ゲート部２０の通過を許可されているＩＤ番号であり、ゲート部２０の通過に対し有効であると判断すると、警報部５０ａ，５０ｂに作業者の通過を許可する通知を行わせる制御を行う。また、判断手段としての制御部６０が、リーダ部３０が検知した作業者が着用している非接触ＩＣタグ付きヘルメット１０の非接触ＩＣタグ２に関するＩＤ番号が、ゲート部２０の通過を許可されていないＩＤ番号であり、ゲート部２０の通過に対し無効であると判断すると、警報部５０ａ，５０ｂに作業者の通過を許可しない通知を行わせる制御を行う。
【００３０】
また、制御部６０は、第１の検出センサ４０ａや第２の検出センサ４０ｂが、ゲート部２０を通過する作業者を検出したが、リーダ部３０が非接触ＩＣタグ２を検知しない場合に、警報部５０ａ，５０ｂに作業者の通過を許可しない通知を行わせる制御を行う。
【００３１】
また、制御部６０は、入退場判別手段として、非接触ＩＣタグ付きヘルメット１０を着用する作業者がゲート部２０を通過する際に、第１の検出センサ４０ａと第２の検出センサ４０ｂが作業者を検出した順に基づき、作業者が入場したか、退場したかを判別する制御を行う。
第１の検出センサ４０ａと第２の検出センサ４０ｂが、第１の検出センサ４０ａ、第２の検出センサ４０ｂの順に、ゲート部２０を通過する作業者を検出した場合、制御部６０は、作業者はゲート部２０を入場したと判別する。一方、第１の検出センサ４０ａと第２の検出センサ４０ｂが、第２の検出センサ４０ｂ、第１の検出センサ４０ａの順に、ゲート部２０を通過する作業者を検出した場合、制御部６０は、作業者はゲート部２０を退場したと判別する。
【００３２】
また、制御部６０は、入退場判別手段としての制御部６０が判別した、非接触ＩＣタグ付きヘルメット１０を着用する作業者の入退場と、リーダ部３０が検知した、作業者が着用している非接触ＩＣタグ付きヘルメット１０の非接触ＩＣタグ２に関するＩＤ番号とを関連付けて、そのＩＤ番号を制御部６０のＲＡＭに記憶し、その非接触ＩＣタグ付きヘルメット１０を着用する作業者が、ゲート部２０から入場しているか、退場しているかを記録する制御を行う。特に、リーダ部３０が非接触ＩＣタグ２を検知した時刻（日時）データとともに、ＩＤ番号を記録し、入退場時刻（入退場日時）を記録する制御を行う。
【００３３】
次に、入退場管理装置１００の動作について、図６のフローチャートに基づき説明する。
まず、特定現場に入場、或いは特定現場から退場するために、入退場管理装置１００のゲート部２０を通過しようとする作業者を、第１の検出センサ４０ａ又は第２の検出センサ４０ｂが検出する（ステップＳ１０１）。
【００３４】
制御部６０は、ゲート部２０を通過しようとする作業者が着用する非接触ＩＣタグ付きヘルメット１０の非接触ＩＣタグ２を、リーダ部３０が検知したか否かを判断する（ステップＳ１０２）。
制御部６０が、リーダ部３０が非接触ＩＣタグ付きヘルメット１０の非接触ＩＣタグ２を検知したと判断すると（ステップＳ１０２；Ｙｅｓ）、リーダ部３０が検知した非接触ＩＣタグ２のＩＣチップ２ｂが有するＩＤ番号に基づき、非接触ＩＣタグ付きヘルメット１０を着用する作業者が、ゲート部２０を通過できるか否かを判断する（ステップＳ１０３）。
【００３５】
制御部６０が、リーダ部３０が検知した非接触ＩＣタグ２のＩＣチップ２ｂが有するＩＤ番号が、ゲート部２０の通過に対し有効であると判断し（ステップＳ１０３；Ｙｅｓ）、その判断の後に、もう一方の検出センサが作業者を検出する（ステップＳ１０４）。
そして、制御部６０は、作業者がゲート部２０を通過する際に、第１の検出センサ４０ａと第２の検出センサ４０ｂが作業者を検出した順に基づき、作業者の入退場を判別し（ステップＳ１０５）、判別した入退場に対応する警報部５０ａ，５０ｂに、作業者の通過を許可する通知（通過ＯＫ通知）を行わせる（ステップＳ１０６）。
この通過許可の通知に伴い、作業者は、特定現場に入場、或いは特定現場から退場することができる。
次いで、制御部６０は、検知したＩＤ番号とそのＩＤ番号を検知した時刻（日時）を制御部６０のＲＡＭに記憶させて、作業者の入退場を記録し（ステップＳ１０７）、ステップＳ１０１へ戻る。
【００３６】
一方、制御部６０が、リーダ部３０が検知した非接触ＩＣタグ２のＩＣチップ２ｂが有するＩＤ番号が、ゲート部２０の通過に対し無効であると判断し、（ステップＳ１０３；Ｎｏ）、その判断の後に、もう一方の検出センサが作業者を検出する（ステップＳ１０８）。
そして、制御部６０は、作業者がゲート部２０を通過する際に、第１の検出センサ４０ａと第２の検出センサ４０ｂが作業者を検出した順に基づき、作業者の入退場を判別し（ステップＳ１０９）、判別した入退場に対応する警報部５０ａ，５０ｂに、作業者の通過を許可しない通知（通過ＮＧ通知）を行わせる（ステップＳ１１０）。
この通過不許可の通知に伴い、作業者は、特定現場に入場、或いは特定現場から退場することを、取りやめなければならない。
そして、通過ＮＧ通知後、ステップＳ１０１へ戻る。
【００３７】
また、リーダ部３０が非接触ＩＣタグ付きヘルメット１０の非接触ＩＣタグ２を検知せずに（ステップＳ１０２；Ｎｏ）、もう一方の検出センサが、作業者を検出すると（ステップＳ１１１）、ステップＳ１０９へ進むとともに、通過ＮＧ通知した後、ステップＳ１０１へ戻る。
【００３８】
このように、本発明に係る入退場管理装置１００は、特定現場に入退場しようとする作業者が着用している非接触ＩＣタグ付きヘルメット１０の非接触ＩＣタグ２を検知し、非接触ＩＣタグ２のＩＣチップ２ｂに記憶されるＩＤ番号に基づき、非接触ＩＣタグ付きヘルメット１０を着用する作業者が、特定現場に入場したり、特定現場から退場したりすることに対するの許可、不許可を判断することができ、作業者にその通過可否の判断結果を通知することができる。
特に、作業者は、非接触ＩＣタグ２を備えた非接触ＩＣタグ付きヘルメット１０を着用し、入退場管理装置１００のゲート部２０を通常歩行姿勢で通過することにより、ゲート部２０における作業者の頭上側に配設されたリーダ部３０が、非接触ＩＣタグ付きヘルメット１０の非接触ＩＣタグ２を検知するようになっているので、作業者は、入退場管理装置１００の通行許可証となる非接触ＩＣタグをポケットなどに保管するとともに、特定現場へ入退場する際に取り出して、その非接触ＩＣタグをリーダ部にかざしたりする手間を省くことができる。
よって、作業者は、入退場管理装置１００を介し、特定現場への入退場を容易に行うことができる。
【００３９】
また、入退場管理装置１００は、特定現場への入退場を許可したＩＤ番号を、非接触ＩＣタグ２を検知した入退場時刻（入退場日時）とともに記録することができるので、非接触ＩＣタグ付きヘルメット１０を着用した作業者の、特定現場への入退場状況を記録することができる。
よって、作業者の特定現場への入退場状況の記録管理を容易に行うことができる。
【００４０】
また、一般的に、作業者が建設現場や工事現場などの特定現場に入場する場合には、ヘルメットの着用が義務付けられている。
従って、ヘルメットに非接触ＩＣタグ２が備えられた非接触ＩＣタグ付きヘルメット１０であれば、特定現場に入場する際に忘れる可能性は少ないので、非接触ＩＣタグ２の携行を忘れたことにより、作業者が特定現場へ入場できないというようなトラブルを低減することができる。また、特定現場に入場する際における、作業者のヘルメット着用義務意識を高めることができる。
【００４１】
なお、以上の実施の形態においては、ヘルメット本体１に非接触ＩＣタグ２を備えた非接触ＩＣタグ付きヘルメット１０について説明したが、本発明はこれに限定されるものではなく、例えば、図７に示す非接触ＩＣタグ付きヘルメット１１のように、アンテナ部１２ａやＩＣチップ１２ｂとからなる非接触ＩＣタグ１２を、ヘルメット本体１を構成する絶縁材中に埋設するようにしてもよい。
アンテナ部１２ａは、ヘルメット本体１の周面に沿うように、略円筒状に捲回されており、ＩＣチップ１２ｂは、アンテナ部１２ａを介して所定の管理データを送受することができるようになっている。
そして、非接触ＩＣタグ１２を直接ヘルメット本体１に備えた非接触ＩＣタグ付きヘルメット１１自体を非接触ＩＣタグとして取り扱うようにしてもよい。
このように、非接触ＩＣタグ１２のアンテナ部１２ａをヘルメット本体１の周面に沿って配設することによって、アンテナ部１２ａ（特に、アンテナ部１２ａにおいてアンテナ線が捲回されたループの大きさ）を大きくすることができ、リーダ部３０がアンテナ部１２ａを検知する感度を向上させることができる。
それによって、非接触ＩＣタグ１２を備える非接触ＩＣタグ付きヘルメット１１を検知可能な範囲（検知エリア３０ａ）を広くすることができる。また、作業者がゲート部２０を通過する姿勢や速度、また作業者の非接触ＩＣタグ付きヘルメット１１の着用状態（例えば、ヘルメットを真っ直ぐにかぶる、ヘルメットを斜めにかぶる等）が異なる場合であっても、リーダ部３０が非接触ＩＣタグ付きヘルメット１１の非接触ＩＣタグ１２を検知しやすくすることができる。
【００４２】
また、以上の実施の形態においては、リーダ部３０をゲート部２０の天井部２２に備える構成について説明したが、図８に示すように、リーダ部３０を、ゲート部２０の側壁部２１にも配設するようにしてもよい。
このように、２つのリーダ部３０を備えることによって、図８において細掛けで示す部分のように、検知エリア３０ａを、ゲート部２０内における左右の側壁部２１，２１が対向する間であるとともに、天井部２２から下方に１４０ｃｍの範囲となるように、広げることができる。
また、左右の側壁部２１，２１にそれぞれリーダ部３０を備えるようにしてもよい。その場合、側壁部２１に備えるリーダ部３０の高さ位置を調整し、所望する範囲に検知エリアを形成するようにすればよく、また、左右の側壁部２１，２１に備えるそれぞれのリーダ部３０の高さ位置を異ならせることによって、より広い範囲の検知エリアを形成するようにしてもよい。
【００４３】
また、ゲート部２０に、開状態と閉状態とを切替可能な、通知手段としてのフラップ部を設け、入退場管理装置１００（制御部６０）が、作業者がゲート部２０を通過することを許可した場合、フラップ部を開ける開状態にし、入退場管理装置１００（制御部６０）が、作業者がゲート部２０を通過することを許可しない場合、フラップ部を閉める閉状態にすることで、通過の許可、不許可を通知するようにしてもよい。
【００４４】
また、以上の実施の形態においては、リーダ部３０が検知した、作業者が着用している非接触ＩＣタグ付きヘルメット１０の非接触ＩＣタグ２に関するＩＤ番号を、制御部６０のＲＡＭに記録し、その非接触ＩＣタグ付きヘルメット１０を着用する作業者が、ゲート部２０から入場しているか、退場しているかを記録するとしたが、本発明はこれに限定されるものではなく、ＩＤ番号等の記録は、ＲＡＭ以外の記録媒体に記録するようにしてもよい。
【００４５】
また、その他、具体的な細部構造等についても適宜に変更可能であることは勿論である。
【図面の簡単な説明】
【００４６】
【図１】本発明に係る非接触ＩＣタグ付きヘルメットを示す斜視図である。
【図２】非接触ＩＣタグの平面図である。
【図３】本発明に係る入退場管理装置の概略を示す斜視図である。
【図４】入退場管理装置における検知エリアの説明図である。
【図５】入退場管理装置における検出センサの説明図である。
【図６】入退場管理装置の動作を示すフローチャートである。
【図７】非接触ＩＣタグ付きヘルメットの変形例を示す斜視図である。
【図８】入退場管理装置におけるリーダ部の配設位置の変形例を示す説明図である。
【符号の説明】
【００４７】
１      ヘルメット本体
２、１２  非接触ＩＣタグ
２ａ、１２ａ  アンテナ部
２ｂ、１２ｂ  ＩＣチップ
１０、１１  非接触ＩＣタグ付きヘルメット
２０    ゲート部
３０    リーダ部（検知手段）
４０ａ  第１の検出センサ
４０ｂ  第２の検出センサ
５０ａ、５０ｂ  警報部（通知手段）
５５ａ、５５ｂ  ライト部（通知手段）
６０    制御部（判断手段、入退場判別手段、記録手段）
１００  入退出管理装置
【図１】
2006004065.tif 000003
【図２】
2006004065.tif 000004
【図３】
2006004065.tif 000005
【図４】
2006004065.tif 000006
【図５】
2006004065.tif 000007
【図６】
2006004065.tif 000008
【図７】
2006004065.tif 000009
【図８】
2006004065.tif 000010